(57)【要約】【課題】利用者の利便性を確保しつつ、コストを抑えながら、撮影画像の再プリントを行う。【解決手段】印画物作製システムは、利用者を撮影し、撮影画像を印画した印画物を作製する少なくとも１つの印画物作製装置１と、印画物作製装置１と通信可能に接続されたサーバ２とを備える。印画物作製装置１は、撮影画像データをサーバ２に送信し、サーバ２から識別コードを受信し、撮影画像データと識別コードを用いて印画物４を作製する。ユーザ端末３は、サーバ２へ識別コードを送信し、サーバ２から撮影画像データを受信して保存する。再プリント時は、ユーザ端末３からサーバ２へ撮影画像データを送信すると、サーバ２は再プリント用コードを発行する。この再プリント用コードを印画物作製装置１に入力すると、印画物作製装置１はサーバ２から撮影画像データを取得し、印画物を作製する。【選択図】図１
2018196023.tif 000002
【特許請求の範囲】
【請求項１】
利用者を撮影し、撮影画像を印画した印画物を作製する少なくとも１つの印画物作製装置と、前記印画物作製装置と通信可能に接続されたサーバとを備える印画物作製システムであって、
前記印画物作製装置は、
撮影画像データを前記サーバへ送信し、
前記撮影画像データ及び識別コードを用いて第１印画物を作製し、
入力された再プリント用コードを前記サーバへ送信し、前記サーバから前記再プリント用コードに対応する撮影画像データを受信し、受信した撮影画像データを用いて第２印画物を作製し、
前記サーバは、
前記印画物作製装置から受信した撮影画像データと、この撮影画像データに対応する前記識別コードとを保存し、
ユーザ端末から識別コードを受信すると、この識別コードに対応する撮影画像データを前記ユーザ端末へ送信し、
前記ユーザ端末から撮影画像データを受信すると、受信した撮影画像データに対応する再プリント用コードを生成し、前記撮影画像データと前記再プリント用コードとを対応付けて保存し、前記再プリント用コードを前記ユーザ端末へ送信し、
前記少なくとも１つの印画物作製装置のいずれかから再プリント用コードが送信されると、この再プリント用コードに対応する撮影画像データを、再プリント用コードの送信元の印画物作製装置へ送信することを特徴とする印画物作製システム。
【請求項２】
前記サーバは、前記印画物作製装置から受信した撮影画像データに対応する前記識別コードを生成し、生成した識別コードを前記印画物作製装置へ送信することを特徴とする請求項１に記載の印画物作製システム。
【請求項３】
前記印画物作製装置は、前記識別コードを生成し、生成した識別コードと前記撮影画像データとを前記サーバへ送信することを特徴とする請求項１に記載の印画物作製システム。
【請求項４】
前記サーバは、前記印画物作製装置から受信した撮影画像データを記憶部に保存し、この撮影画像データを前記ユーザ端末へ送信した後、又は撮影画像データを前記記憶部に保存してから所定時間経過後に、前記記憶部から消去することを特徴とする請求項１乃至３のいずれかに記載の印画物作製システム。
【請求項５】
前記サーバは、前記ユーザ端末から受信した撮影画像データを記憶部に保存し、この撮影画像データを再プリント用コードの送信元の印画物作製装置へ送信した後、又は撮影画像データを前記記憶部に保存してから所定時間経過後に、前記記憶部から消去することを特徴とする請求項１乃至４のいずれかに記載の印画物作製システム。
【請求項６】
利用者を撮影し、撮影画像を印画した印画物を作製する少なくとも１つの印画物作製装置と通信可能に接続されたサーバであって、
第１印画物作製装置から第１撮影画像データを受信し、前記第１撮影画像データに対応する識別コードと前記第１撮影画像データとを記憶部に保存し、
第１ユーザ端末から前記識別コードを受信すると、前記第１ユーザ端末へ前記第１撮影画像データを送信し、
第２ユーザ端末から第２撮影画像データを受信すると、前記第２撮影画像データに対応する再プリント用コードを生成し、前記再プリント用コードを前記第２ユーザ端末へ送信し、
前記第２撮影画像データと前記再プリント用コードとを対応付けて記憶部に保存し、
第２印画物作製装置から前記再プリント用コードを受信すると、前記第２印画物作製装置へ前記第２撮影画像データを送信することを特徴とするサーバ。
【請求項７】
前記第１撮影画像データに対応する前記識別コードを生成し、生成した識別コードを前記第１印画物作製装置へ送信することを特徴とする請求項６に記載のサーバ。
【請求項８】
前記第１印画物作製装置から、前記第１撮影画像データと共に前記識別コードを受信することを特徴とする請求項６に記載の印画物作製システム。
【請求項９】
前記第１撮影画像データを前記第１ユーザ端末へ送信した後、又は前記第１撮影画像データを記憶部に保存してから所定時間経過後に、前記記憶部から前記第１撮影画像データを消去することを特徴とする請求項６乃至８のいずれかに記載のサーバ。
【請求項１０】
前記第２撮影画像データを前記第２印画物作製装置へ送信した後、又は前記第２撮影画像データを記憶部に保存してから所定時間経過後に、前記記憶部から前記第２撮影画像データを消去することを特徴とする請求項６乃至９のいずれかに記載のサーバ。
【請求項１１】
第１印画物作製装置が利用者を撮影し、第１撮影画像データを生成し、前記第１撮影画像データをサーバへ送信する工程と、
前記サーバが、前記第１撮影画像データと前記第１撮影画像データに対応する識別コードとを記憶部に保存する工程と、
前記第１印画物作製装置が、前記第１撮影画像データ及び前記識別コードを用いて第１印画物を作製する工程と、
第１ユーザ端末が前記第１印画物から前記識別コードを読み取って、前記サーバに送信する工程と、
前記サーバが、前記第１ユーザ端末から前記識別コードを受信し、前記第１撮影画像データを前記第１ユーザ端末へ送信する工程と、
前記第１ユーザ端末が、前記第１撮影画像データを保存する工程と、
第２ユーザ端末が、第２撮影画像データを前記サーバへ送信する工程と、
前記サーバが、前記第２撮影画像データに対応する再プリント用コードを生成し、前記再プリント用コードを前記第２ユーザ端末へ送信し、前記第２撮影画像データと前記再プリント用コードとを対応付けて記憶部に保存する工程と、
第２印画物作製装置が、前記再プリント用コードの入力を受け付け、前記再プリント用コードを前記サーバへ送信する工程と、
前記サーバが、前記第２印画物作製装置から前記再プリント用コードを受信し、前記第２撮影画像データを前記第２印画物作製装置へ送信する工程と、
前記第２印画物作製装置が、前記第２撮影画像データを用いて第２印画物を作製する工程と、
を備える印画物作製方法。
【発明の詳細な説明】
【技術分野】
【０００１】
本発明は、印画物作製システム、サーバ、及び印画物作製方法に関する。
【背景技術】
【０００２】
従来、免許証、パスポート、履歴書等に貼付するための証明写真等を撮影するためのボックス型の証明写真撮影装置が知られている。証明写真撮影装置は、人物を撮影し、用途に応じた様々なサイズの写真をプリントして出力する。
【０００３】
近年、デジタルカメラの発展および普及により、撮影により得られた被写体画像の電子情報が容易に利用可能となっている。ボックス型の証明写真撮影装置においても、このような被写体画像の電子情報を利用して焼増しプリントするというサービスが提案されている。
【０００４】
例えば、利用者を撮影した撮影画像データに暗号化処理を施し、利用者が所有する携帯端末へ撮影画像データを送信する証明写真撮影装置が提案されている（特許文献１参照）。焼増しを行う場合、利用者は、携帯端末から証明写真撮影装置へ撮影画像データを転送する。証明写真撮影装置は、携帯端末から受信した撮影画像データを復号し、プリント出力する。
【０００５】
利用者の携帯端末と証明写真撮影装置とは、Ｗｉ−Ｆｉ（登録商標）等の無線通信によりデータの授受を行っている。しかし、携帯端末と証明写真装置との間でデータ転送を行う際に、電波干渉を受けて通信が不安定になり、スムーズにデータ転送できず、利用者の利便性を低下させることがあった。また、利用者が所有する携帯端末の機種は様々であり、証明写真撮影装置と通信を行う際に、予想し得ない不具合が発生することがあった。
【０００６】
証明写真撮影装置と、ネットワーク回線を介して証明写真撮影装置に接続されたサーバとを備え、証明写真撮影装置によって得られた画像情報をサーバの画像データベースに保管するシステムも提案されている（例えば特許文献２参照）。しかし、ユーザの個人情報である顔画像をサーバに長期保存するには、高い安全性を確保する必要があり、サーバの管理にコストがかかっていた。また、画像情報をサーバに長期保存するためには、サーバの容量を大きくする必要があり、コストがかかっていた。
【先行技術文献】
【特許文献】
【０００７】
【特許文献１】特開２０１５−８３６４号公報
【特許文献２】特開２００７−２８８４１６号公報
【発明の概要】
【発明が解決しようとする課題】
【０００８】
本発明は、上記の問題点を鑑みてなされたものであり、利用者の利便性を確保しつつ、コストを抑えながら、撮影画像の再プリントを行うことができる印画物作製システム、サーバ、及び印画物作製方法を提供することを課題とする。
【課題を解決するための手段】
【０００９】
本発明による印画物作製システムは、利用者を撮影し、撮影画像を印画した印画物を作製する少なくとも１つの印画物作製装置と、前記印画物作製装置と通信可能に接続されたサーバとを備える印画物作製システムであって、前記印画物作製装置は、撮影画像データを前記サーバへ送信し、前記撮影画像データ及び識別コードを用いて第１印画物を作製し、入力された再プリント用コードを前記サーバへ送信し、前記サーバから前記再プリント用コードに対応する撮影画像データを受信し、受信した撮影画像データを用いて第２印画物を作製し、前記サーバは、前記印画物作製装置から受信した撮影画像データと、この撮影画像データに対応する前記識別コードとを保存し、ユーザ端末から識別コードを受信すると、この識別コードに対応する撮影画像データを前記ユーザ端末へ送信し、前記ユーザ端末から撮影画像データを受信すると、受信した撮影画像データに対応する再プリント用コードを生成し、前記撮影画像データと前記再プリント用コードとを対応付けて保存し、前記再プリント用コードを前記ユーザ端末へ送信し、前記少なくとも１つの印画物作製装置のいずれかから再プリント用コードが送信されると、この再プリント用コードに対応する撮影画像データを、再プリント用コードの送信元の印画物作製装置へ送信するものである。
【００１０】
本発明の一態様による印画物作製システムにおいて、前記サーバは、前記印画物作製装置から受信した撮影画像データに対応する前記識別コードを生成し、生成した識別コードを前記印画物作製装置へ送信する。
【００１１】
本発明の一態様による印画物作製システムにおいて、前記印画物作製装置は、前記識別コードを生成し、生成した識別コードと前記撮影画像データとを前記サーバへ送信する。
【００１２】
本発明の一態様による印画物作製システムにおいて、前記サーバは、前記印画物作製装置から受信した撮影画像データを記憶部に保存し、この撮影画像データを前記ユーザ端末へ送信した後、又は撮影画像データを前記記憶部に保存してから所定時間経過後に、前記記憶部から消去する。
【００１３】
本発明の一態様による印画物作製システムにおいて、前記サーバは、前記ユーザ端末から受信した撮影画像データを記憶部に保存し、この撮影画像データを再プリント用コードの送信元の印画物作製装置へ送信した後、又は撮影画像データを前記記憶部に保存してから所定時間経過後に、前記記憶部から消去する。
【００１４】
本発明によるサーバは、利用者を撮影し、撮影画像を印画した印画物を作製する少なくとも１つの印画物作製装置と通信可能に接続されたサーバであって、第１印画物作製装置から第１撮影画像データを受信し、前記第１撮影画像データに対応する識別コードと前記第１撮影画像データとを記憶部に保存し、第１ユーザ端末から前記識別コードを受信すると、前記第１ユーザ端末へ前記第１撮影画像データを送信し、第２ユーザ端末から第２撮影画像データを受信すると、前記第２撮影画像データに対応する再プリント用コードを生成し、前記再プリント用コードを前記第２ユーザ端末へ送信し、前記第２撮影画像データと前記再プリント用コードとを対応付けて記憶部に保存し、第２印画物作製装置から前記再プリント用コードを受信すると、前記第２印画物作製装置へ前記第２撮影画像データを送信するものである。
【００１５】
本発明の一態様によるサーバは、前記第１撮影画像データに対応する前記識別コードを生成し、生成した識別コードを前記第１印画物作製装置へ送信する。
【００１６】
本発明の一態様によるサーバは、前記第１印画物作製装置から、前記第１撮影画像データと共に前記識別コードを受信する。
【００１７】
本発明の一態様によるサーバは、前記第１撮影画像データを前記第１ユーザ端末へ送信した後、又は前記第１撮影画像データを記憶部に保存してから所定時間経過後に、前記記憶部から前記第１撮影画像データを消去する。
【００１８】
本発明の一態様によるサーバは、前記第２撮影画像データを前記第２印画物作製装置へ送信した後、又は前記第２撮影画像データを記憶部に保存してから所定時間経過後に、前記記憶部から前記第２撮影画像データを消去する。
【００１９】
本発明による印画物作製方法は、第１印画物作製装置が利用者を撮影し、第１撮影画像データを生成し、前記第１撮影画像データをサーバへ送信する工程と、前記サーバが、前記第１撮影画像データと前記第１撮影画像データに対応する識別コードとを記憶部に保存する工程と、前記第１印画物作製装置が、前記第１撮影画像データ及び前記識別コードを用いて第１印画物を作製する工程と、第１ユーザ端末が前記第１印画物から前記識別コードを読み取って、前記サーバに送信する工程と、前記サーバが、前記第１ユーザ端末から前記識別コードを受信し、前記第１撮影画像データを前記第１ユーザ端末へ送信する工程と、前記第１ユーザ端末が、前記第１撮影画像データを保存する工程と、第２ユーザ端末が、第２撮影画像データを前記サーバへ送信する工程と、前記サーバが、前記第２撮影画像データに対応する再プリント用コードを生成し、前記再プリント用コードを前記第２ユーザ端末へ送信し、前記第２撮影画像データと前記再プリント用コードとを対応付けて記憶部に保存する工程と、第２印画物作製装置が、前記再プリント用コードの入力を受け付け、前記再プリント用コードを前記サーバへ送信する工程と、前記サーバが、前記第２印画物作製装置から前記再プリント用コードを受信し、前記第２撮影画像データを前記第２印画物作製装置へ送信する工程と、前記第２印画物作製装置が、前記第２撮影画像データを用いて第２印画物を作製する工程と、を備えるものである。
【発明の効果】
【００２０】
本発明によれば、利用者の利便性を確保しつつ、コストを抑えながら、撮影画像の再プリントを行うことができる。
【図面の簡単な説明】
【００２１】
【図１】本発明の実施形態に係る印画物作製システムの構成例を示す図である。
【図２】印画物の例を示す図である。
【図３】印画物作製装置の概略構成図である。
【図４】演算制御装置のハードウェア構成図である。
【図５】制御プログラムの実行により実現される機能ブロック図である。
【図６】サーバの概略構成図である。
【図７】同実施形態に係る印画物作製方法を説明するシーケンス図である。
【発明を実施するための形態】
【００２２】
図１は実施形態に係る印画物作製システムの構成図である。図１に示すように、印画物作製システムは、印画物作製装置１と、サーバ２とを備える。印画物作製装置１とサーバ２とはインターネット等のネットワークを介して通信可能に接続されている。印画物作製装置１は、複数台設けられていてもよい。
【００２３】
印画物作製装置１は、利用者を撮影し、免許証、パスポート、履歴書等の用途に応じたサイズの画像を印画物（印画紙）にプリントして出力する。印画物作製装置１は撮影画像データをサーバ２へ送信する。サーバ２は、撮影画像データを受信すると、識別コードを生成し、撮影画像データと識別コードとを対応付けて保存すると共に、識別コードを印画物作製装置１に通知する。
【００２４】
印画物作製装置１は、利用者を撮影した撮影画像と共に、サーバ２から通知された識別コードを印画した印画物を作製する。図２に、印画物作製装置１により作製される印画物４の一例を示す。図２に示すように、利用者を撮影した撮影画像４１が、証明写真の用途に応じたサイズでプリントされる。また、サーバ２から通知された識別コードを示す二次元コード４２がプリントされる。
【００２５】
利用者は、スマートフォンやタブレット端末等のユーザ端末３を所有している。ユーザ端末３には、サーバ２と通信し、画像データの送受信を行うと共に、受信した画像データの閲覧を可能にするアプリケーションプログラムがインストールされている。ユーザ端末３は、このアプリケーションプログラムを実行し、内蔵のカメラを用いて、印画物４の二次元コード４２を読み取って識別コードを取得すると、取得した識別コードをサーバ２に通知する。
【００２６】
サーバ２は、ユーザ端末３から通知された識別コードに対応する撮影画像データをユーザ端末３へ送信する。ユーザ端末３は、サーバ２から撮影画像データを受信（ダウンロード）し、保存する。サーバ２は、ユーザ端末３へのデータ送信に伴い、又は一定期間（例えば１週間）経過後に、撮影画像データを消去する。
【００２７】
利用者は、印画物作製装置１で撮影した画像の再プリント（焼き増し）を行う場合、ユーザ端末３でアプリケーションプログラムを実行し、保存している撮影画像データをサーバ２に送信（アップロード）する。サーバ２は、ユーザ端末３から撮影画像データを受信すると、再プリント用コードを生成し、撮影画像データと再プリント用コードとを対応付けて保存すると共に、再プリント用コードをユーザ端末３に通知する。
【００２８】
利用者は、印画物作製装置１に再プリント用コードを入力する。印画物作製装置１は、入力された再プリント用コードをサーバ２に通知する。
【００２９】
サーバ２は、印画物作製装置１から通知された再プリント用コードに対応する撮影画像データを印画物作製装置１へ送信する。印画物作製装置１は、サーバ２から撮影画像データを受信（ダウンロード）し、証明写真の用途に応じたサイズで再プリントする。サーバ２は、印画物作製装置１へのデータ送信に伴い、又は一定期間（例えば２４時間）経過後に、撮影画像データを消去する。
【００３０】
このように、本実施形態では、印画物作製装置１とユーザ端末３との間でのデータ転送は不要であり、印画物作製装置１とサーバ２との間、及びサーバ２とユーザ端末３との間で、安定した通信環境においてデータの送受信をスムーズに行うことができ、利用者の利便性を向上できる。
【００３１】
また、撮影画像データの最終的な保存先を利用者が所有するユーザ端末３とするため、サーバ２でのデータ保存期間が短くてよく、サーバの容量増大を抑えると共に、管理コストを抑えることができる。
【００３２】
図３は、印画物作製装置１の概略構成を示す。印画物作製装置１は、演算制御装置１０と、利用者Ｐを撮影し、撮影画像データを生成する撮影装置１１と、印画物（写真）をプリントするプリンタ１３と、撮影装置１１が利用者Ｐを撮影する際に利用者Ｐに光を照射するストロボ１４と、サーバ２との通信を行う通信部１５とを備える。また、印画物作製装置１は、利用者Ｐから各種入力を受け付けたり、プレビュー画像を表示したりするタッチパネル１２を備えている。さらに、印画物作製装置１には、利用者Ｐが印画物の代金として支払う貨幣を受け入れたり、釣銭を払い出したりする課金部（図示せず）が設けられている。
【００３３】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００３４】
タッチパネル１２は、操作ボタンを表示し、操作ボタンが押されると、その操作ボタンに対応した操作指示を受け付ける。例えば、タッチパネル１２は、証明写真の用途を表示し、利用者Ｐから用途の選択指示を受け付ける。また、タッチパネル１２は、利用者Ｐから再プリント用コードの入力を受け付ける。
【００３５】
演算制御装置１０は、撮影装置１１、タッチパネル１２、プリンタ１３、ストロボ１４、通信部１５、及び課金部に接続されており、各部の制御やデータの受け渡しを行う。
【００３６】
図４に、演算制御装置１０のハードウェア構成を示す。演算制御装置１０は、ＣＰＵ（中央演算処理部）１６、メインメモリ１７、ディスク装置１８、及び入出力部１９を有する。演算制御装置１０の各部はバスを介して接続されている。
【００３７】
ディスク装置１８は、ＣＰＵ１６により実行される制御プログラムを格納する。ディスク装置１８は例えばハードディスクドライブである。なお、制御プログラムは、ディスク装置１８でなく、ＲＯＭや磁気テープ（共に図示せず）に格納されていてもよい。
【００３８】
ＣＰＵ１６は、ディスク装置１８内の制御プログラムをメインメモリ１７にロードして、制御プログラムを実行する。ＣＰＵ１６が制御プログラムを実行することで、図５に示すように、画像処理部１０１、通信処理部１０２、プリント処理部１０３、及びコード入力処理部１０４が実現される。
【００３９】
画像処理部１０１は、撮影画像をタッチパネル１２でのプレビュー表示に対応したサイズに縮小し、プレビュー用画像を生成する。利用者Ｐは、タッチパネル１２で撮影画像を確認することができる。
【００４０】
画像処理部１０１は、サーバ２から受信した識別コードを二次元コードに変換する。画像処理部１０１は、撮影画像を証明写真の用途に応じたサイズに縮小し、二次元コードを加えたプリント用画像を生成する。再プリントの場合、画像処理部１０１は、サーバ２から受信した撮影画像を証明写真の用途に応じたサイズに縮小し、プリント用画像を生成する。再プリントでは、二次元コードは省略される。
【００４１】
通信処理部１０２は、通信部１５を用いて、サーバ２との通信を行う。通信処理部１０２は、撮影装置１１から受け取った撮影画像データをサーバ２へ送信し、サーバ２から識別コードを受信する。また、通信処理部１０２は、タッチパネル１２を介して入力された再プリント用コードをサーバ２へ送信し、サーバ２から撮影画像データを受信する。
【００４２】
プリント処理部１０３は、画像処理部１０１で生成されたプリント用画像を、入出力部１９を介してプリンタ１３へ転送し、プリント出力させる。プリンタ１３は、プリント用画像を用紙に印画して出力する。プリンタ１３のプリント方式は特に限定されず、インクジェット方式、昇華型熱転写方式、溶融型熱転写方式等を用いることができる。
【００４３】
コード入力処理部１０４は、利用者Ｐがタッチパネル１２を操作して再プリント（焼き増し）モードを選択すると、再プリント用コード入力画面を生成し、タッチパネル１２に表示する。コード入力処理部１０４は、利用者Ｐが再プリント用コード入力画面で入力した再プリント用コードを取得する。
【００４４】
図６はサーバ２の構成図である。サーバ２は、識別コード生成部２１、再プリント用コード生成部２２、第１通信処理部２３、第２通信処理部２４、画像検索部２５、及び記憶部２６（データベース）を備え、例えばコンピュータにより構成される。
【００４５】
第１通信処理部２３は、印画物作製装置１との通信を行う。第２通信処理部２４は、ユーザ端末３との通信を行う。
【００４６】
識別コード生成部２１は、第１通信処理部２３が印画物作製装置１から撮影画像データを受信すると、この撮影画像データを一意に識別する識別コードを生成する。生成された識別コードは、第１通信処理部２３により、印画物作製装置１へ送信される。
【００４７】
再プリント用コード生成部２２は、第２通信処理部２４がユーザ端末３から撮影画像データを受信すると、この撮影画像データを一意に識別する再プリント用コードを生成する。生成された再プリント用コードは、第２通信処理部２４により、ユーザ端末３へ送信される。
【００４８】
記憶部２６は、印画物作製装置１から受信した撮影画像データと、識別コード生成部２１が生成した識別コードとを対応付けて保存する。また、記憶部２６は、ユーザ端末３から受信した撮影画像データと、再プリント用コード生成部２２が生成した再プリント用コードとを対応付けて保存する。
【００４９】
画像検索部２５は、第２通信処理部２４がユーザ端末３から通知された識別コードを受信すると、記憶部２６を検索し、この識別コードに対応する撮影画像データを取り出す。取り出された撮影画像データは、第２通信処理部２４により、ユーザ端末３へ送信される。
【００５０】
画像検索部２５は、第１通信処理部２３が印画物作製装置１から通知された再プリント用コードを受信すると、記憶部２６を検索し、この再プリント用コードに対応する撮影画像データを取り出す。取り出された撮影画像データは、第１通信処理部２３により、印画物作製装置１へ送信される。
【００５１】
記憶部２６は、撮影画像データが印画物作製装置１又はユーザ端末３へ送信された後、又は撮影画像データが保存されてから一定期間経過後に、保存している撮影画像データを消去する。
【００５２】
次に、本実施形態による印画物作製方法を、図７に示すシーケンス図を用いて説明する。この印画物作製方法は、撮影を行い、撮影画像データをユーザ端末３に保存するまでの撮影及びデータ保存処理と、ユーザ端末３に保存している撮影画像データをプリント出力する再プリント（焼き増し）処理とを有する。
【００５３】
利用者Ｐが、印画物作製装置１のタッチパネル１２を操作し、撮影及びデータ保存モードを選択すると、撮影装置１１が利用者Ｐを撮影し、撮影画像データを生成する（ステップＳ１０１）。
【００５４】
印画物作製装置１の通信部１５が、撮影画像データをサーバ２へ送信する（ステップＳ１０２）。
【００５５】
サーバ２が撮影画像データを受信すると、識別コード生成部２１が識別コードを生成する（ステップＳ１０３）。
【００５６】
サーバ２の第１通信処理部２３が、識別コードを印画物作製装置１へ送信する（ステップＳ１０４）。また、識別コードと撮影画像データとが対応付けてサーバ２の記憶部２６に保存される（ステップＳ１０５）。
【００５７】
印画物作製装置１は、サーバ２から受信した識別コードを二次元コードに変換し、撮影画像を証明写真の用途に応じたサイズに縮小し、プリント用画像を生成する。印画物作製装置１のプリンタ１３が、プリント用画像を印画紙にプリントして出力する（ステップＳ１０６）。これにより、利用者Ｐは図２に示すような印画物４を入手することができる。
【００５８】
利用者Ｐは、ユーザ端末３を操作して所定のアプリケーションプログラムを実行し、印画物４の二次元コード４２を読み取らせる。ユーザ端末３は、二次元コード４２から識別コードを取得し、サーバ２に通知する（ステップＳ１０７）。
【００５９】
サーバ２の第２通信処理部２４がユーザ端末３から識別コードを受信すると、画像検索部２５が記憶部２６を検索し、識別コードに対応する撮影画像データを取り出す（ステップＳ１０８）。第２通信処理部２４は、取り出された撮影画像データをユーザ端末３へ送信する。（ステップＳ１０９）。
【００６０】
ユーザ端末３は、サーバ２から受信した撮影画像データを、自端末のメモリ等に保存する（ステップＳ１１０）。
【００６１】
サーバ２の記憶部２６は、ステップＳ１１０の撮影画像データ送信に伴い、又はステップＳ１０５のデータ保存処理から所定期間経過後に、この撮影画像データを消去する（ステップＳ１１１）。
【００６２】
利用者Ｐは、撮影画像の再プリント（焼き増し）を行う場合、ユーザ端末３を操作して所定のアプリケーションプログラムを実行し、自端末に保存されている撮影画像データをサーバ２へ送信する（ステップＳ２０１）。
【００６３】
サーバ２が撮影画像データを受信すると、再プリント用コード生成部２２が再プリント用コードを生成する（ステップＳ２０２）。
【００６４】
サーバ２の第２通信処理部２４が、再プリント用コードをユーザ端末３へ送信する（ステップＳ２０３）。また、再プリント用コードと撮影画像データとが対応付けてサーバ２の記憶部２６に保存される（ステップＳ２０４）。
【００６５】
ユーザ端末３は、サーバ２から通知された再プリント用コードを保存する（ステップＳ２０５）。
【００６６】
利用者Ｐが、印画物作製装置１のタッチパネル１２を操作し、再プリントモードを選択すると、タッチパネル１２に再プリント用コード入力画面が表示される。利用者Ｐは、ユーザ端末３の表示部に再プリント用コードを表示して確認し、タッチパネル１２を操作して再プリント用コードを入力する（ステップＳ２０６）。
【００６７】
印画物作製装置１の通信部１５が、入力された再プリント用コードをサーバ２へ送信する（ステップＳ２０７）。
【００６８】
サーバ２の画像検索部２５は、第１通信処理部２３が印画物作製装置１から再プリント用コードを通知されると、記憶部２６を検索し、この再プリント用コードに対応する撮影画像データを取り出す（ステップＳ２０８）。第１通信処理部２３は、取り出された撮影画像データを印画物作製装置１へ送信する（ステップＳ２０９）。
【００６９】
印画物作製装置１は、サーバ２から受信した撮影画像データを、証明写真の用途に応じたサイズに縮小し、プリント用画像を生成する。印画物作製装置１のプリンタ１３が、プリント用画像を印画紙にプリントして出力する（ステップＳ２１０）。これにより、利用者Ｐは、焼き増しした印画物を入手することができる。
【００７０】
サーバ２の記憶部２６は、ステップＳ２０９の撮影画像データ送信に伴い、又はステップＳ２０４のデータ保存処理から所定期間経過後に、この撮影画像データを消去する（ステップＳ２１１）。
【００７１】
本実施形態によれば、印画物作製装置１とユーザ端末３との間でのデータ転送は不要であり、印画物作製装置１とサーバ２との間、及びサーバ２とユーザ端末３との間で、安定した通信環境においてデータの送受信をスムーズに行うことができる。
【００７２】
また、撮影画像データの最終的な保存先を利用者が所有するユーザ端末３とするため、サーバ２でのデータ保存期間が短くてよく、サーバ２の容量増大を抑えると共に、管理コストを抑えることができる。
【００７３】
そのため、利用者の利便性を確保しつつ、コストを抑えながら、撮影画像の再プリントを行うことができる。
【００７４】
撮影及び（初回）プリントを行う印画物作製装置１（第１印画物作製装置）と、再プリントを行う印画物作製装置１（第２印画物作製装置）とは、同じであってもよいし、異なるものであってもよい。
【００７５】
画像処理部１０１は、撮影装置１１から撮影画像データを受け取ると、クロマキー処理を行い、撮影画像から人物画像を切り抜き、人物画像と、利用者Ｐが選択したテンプレート画像（背景画像）とを合成して、合成画像を作成してもよい。再プリント時には、背景画像を変更できるようにしてもよい。
【００７６】
サーバ２の識別コード生成部２１は、識別コードとは別に、パスワードをさらに生成してもよい。パスワードは印画物作製装置１に通知され、印画物４にプリントされる。ユーザ端末３を用いてサーバ２から撮影画像データを取得する際に、パスワードの入力を求めるようにしてもよい。
【００７７】
上記実施形態では、サーバ２の識別コード生成部２１で生成された識別コードが印画物作製装置１に通知される例について説明したが、印画物作製装置１が識別コードを生成してもよい。例えば、印画物作製装置１は、自機の号機番号、撮影日時等の情報を用いて識別コードを生成し、識別コード及び撮影画像データをサーバ２へ送信する。
【００７８】
上記実施形態において、印画物作製装置１は、撮影のみ行い、撮影画像のプリントは行わず、撮影画像データを取得するための識別コードを示す二次元コードのみを印画して出力するモードを有していてもよい。
【００７９】
サーバ２に撮影画像データを保存してから所定期間経過した場合、ユーザ端末３に、データが消去されることを通知するメッセージ（メール）を送信してもよい。また、ユーザ端末３からの指示に基づいて、サーバ２に保存されているデータを消去するようにしてもよい。
【００８０】
印画物４に、サーバ２にアクセスするための位置情報（ＵＲＬ）を印画してもよい。また、識別コードを二次元コードでなく、英数字等の文字列として印画してもよい。利用者Ｐは、ＰＣ等を利用し、ＵＲＬを用いて画像ダウンロードサイトにアクセスし、識別コードをキーボードで入力し、撮影画像データをダウンロードしてもよい。
【００８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８２】
１  印画物作製装置
２  サーバ
３  ユーザ端末
４  印画物
【図１】
2018196023.tif 000003
【図２】
2018196023.tif 000004
【図３】
2018196023.tif 000005
【図４】
2018196023.tif 000006
【図５】
2018196023.tif 000007
【図６】
2018196023.tif 000008
【図７】
2018196023.tif 000009